(57)【要約】      （修正有）【課題】漏水や湧水などの影響から湿潤な環境下にさらされ、レール電食や塩害などを受けやすい地下区間やトンネル区間の軌道に適した勾配付弾性材を用いた防振まくらぎの提供。【解決手段】PCまくらぎ1と、PCまくらぎ1の周囲にPCまくらぎ1の周囲を取り囲むように配置された防振ゴム2より構成する。PCまくらぎ1の防振ゴム2によって取り囲まれた部分をPCまくらぎ1の周囲を取り囲むように形成された防振箱3の中に設置する。防振ゴム2に取り囲まれた部分を防振箱３と共にコンクリート道床4に埋設して固定する。PCまくらぎ1の長辺方向の両側部および両端部に配置された各防振ゴム2の上端部にコンクリート道床4の上面よりPCまくらぎ本体1の表面に沿って立上がる立上がり部6を設ける。立上がり部6の表側にコンクリート道床4の上面よりPCまくらぎ1の表面側に傾斜するテーパ部6aを設ける。【選択図】図１
2017082488.tif 000002
【特許請求の範囲】
【請求項１】
まくらぎと、当該まくらぎの周囲にまくらぎの周囲を取り囲むように配置された勾配付弾性材を備え、かつ前記勾配付弾性材に取り囲まれた部分をコンクリート道床に埋設して設置される防振まくらぎにおいて、前記PCまくらぎの長辺方向の両側部および両端部に配置された防振ゴムの上端部に前記コンクリート道床の上面よりまくらぎの表面に沿って立上がる立上がり部が設けられ、かつ当該立上がり部の表側に前記コンクリート道床の上面よりまくらぎの表面側に傾斜するテーパ部が設けられていることを特徴とする勾配付弾性材を用いた防振まくらぎ。
【請求項２】
請求項１記載の勾配付弾性材を用いた防振まくらぎにおいて、まくらぎの防振ゴムに取り囲まれた部分は、まくらぎの長辺方向の両側部と両端部および底部を取り囲むように形成された防振箱の中に設置されていることを特徴とする勾配付弾性材を用いた防振まくらぎ。
【請求項３】
請求項１または２記載の勾配付弾性材を用いた防振まくらぎにおいて、立上がり部の上端部とまくらぎ表面間の隙間を密閉するためのシール材が取り付けられていることを特徴とする勾配付弾性材を用いた防振まくらぎ。
【発明の詳細な説明】
【技術分野】
【０００１】
本発明は勾配付弾性材を用いた防振まくらぎに関し、特に漏水や湧水などの影響から湿潤な環境下にさらされ、レール電食や塩害などを受けやすい地下区間やトンネル区間の軌道に適したまくらぎを提供するものである。
【背景技術】
【０００２】
道床上にまくらぎを設置し、その上にレールを敷設して構成される軌道の保守作業においては、レールの交換や通り直しを行うレール作業、道床の突固めや交換などを行う道床作業、さらにまくらぎの交換などを行うまくらぎ作業が大半を占める。
【０００３】
このため、特に道床作業の困難な地下区間やトンネル区間の軌道には、まくらぎをコンクリート道床に埋設して固定する直結軌道が採用されている。しかし、直結軌道はバラスト軌道などと比べて騒音や振動が大きくなる傾向にあることから、最近では騒音や振動の低減を目的とした防振まくらぎ軌道が開発、導入されている。
【０００４】
防振まくらぎ軌道は、例えば、図3(a),(b)に図示するようにPCまくらぎ１の周囲に防振ゴム２を配置し、その外周をFRP製の防振箱３で取り囲み、コンクリート道床４に埋め込むことにより構成され、また、図3(c)に図示するように防振箱３を省略し、PCまくらぎ１の周りを防振ゴム２で取り囲み、コンクリート道床４に直接埋め込むことにより構成されることもある。
【０００５】
いずれのタイプも、道床の突固めや交換などの道床作業が不要であり、また、PCまくらぎ１を取り囲む防振ゴム２が伸縮性を有することから、PCまくらぎ１のみの部分交換によりまくらぎの交換作業を比較的容易に行うことができる等のメリットがある。
【０００６】
ところで、地下区間やトンネル区間に敷設された軌道は、河川や濠に近接している区間が多く、一般に漏水や湧水などの影響から湿潤な環境下にさらされており、そのため、近年、レール電食や塩害などによるまくらぎの爆裂等が大きな問題になっている。
【０００７】
まくらぎの爆裂の主な発生過程は、防振箱内に滞水した高濃度の塩素を含む水がまくらぎのコンクリート表面から浸透することや、まくらぎの端部にPC鋼棒定着用に設けられた切欠き穴の後埋めモルタル部が浸透経路となって、まくらぎ内部のPC鋼棒定着用金具などの鋼材の不導体被膜が破壊され、酸素と触れることによって酸化し鉄材が膨張すること等が考えられている。
【０００８】
従来、このまくらぎの爆裂を解消するには、止水および道床更新により、例えば、図4(a),(b)に図示するようなセパレート型防振軌道に構造変更することが滞水対策として有効なことが知られている。
【０００９】
図示するセパレート型防振軌道は、PCまくらぎ１の両端部の一定長に防振ゴム２を配置し、その外周をFRP製の防振箱３で取り囲みコンクリート道床４に埋め込み、さらに左右防振箱3,3間のコンクリート道床４に軌道方向に連続する排水溝５を設けることにより構成されている。そして、防振箱3,3内に流入した塩素を含む水は防振箱３内に滞留することなく、排水溝５に速やかに排水されることによりPCまくらぎ１の爆裂等を未然に防止することができる。
【先行技術文献】
【特許文献】
【００１０】
【特許文献１】特許第３５５２０３０号公報
【特許文献２】特公昭５７−３６３６３号公報
【発明の概要】
【発明が解決しようとする課題】
【００１１】
しかし、セパレート型防振軌道への構造変更は、コストや速効性の面で課題があり、また塩素を含む水が防振箱３内に流入しないように構成されているわけではないので、まくらぎ自体の塩害を抑制する効果は低い。
【００１２】
本発明は、以上の課題を解決するためになされたもので、本来の騒音、振動の低減効果を有することはもとより、地下区間やトンネル区間などの漏水や湧水などの影響から湿潤な環境下にあっても、レール電食や塩害を受け難く爆裂等を未然に防止できるようにした勾配付弾性材を用いた防振まくらぎを提供することを目的とするものである。
【課題を解決するための手段】
【００１３】
本発明は、まくらぎと当該まくらぎの周囲にまくらぎの周囲を取り囲むように配置された勾配付弾性材(以下「防振ゴム」)とからなり、かつ前記防振ゴムに取り囲まれた部分をコンクリート道床に埋設して設置される勾配付弾性材を用いた防振まくらぎの発明であり、前記まくらぎの長辺方向の両側部および両端部に配置された防振ゴムの上端部に、前記コンクリート道床の上面よりまくらぎの表面に沿って立上がる立上がり部が設けられ、かつ当該立上がり部の外側に前記コンクリート道床の上面よりまくらぎの表面側に傾斜するテーパ部が設けられていることを特徴とするものである。
【００１４】
なお、防振ゴムにはウレタンゴム、防振箱にはFRP製の箱などを用いることができる。また、防振ゴムは伸縮性を有することにより、防振箱をコンクリート道床内に残し、まくらぎのみの部分交換によりまくらぎの交換作業をきわめて効率的にかつ容易に行うことができる。  
【００１５】
また、図1(b)に図示するように、テーパ部の上端部にまくらぎ表面との隙間を密閉するシール材が取り付けられていることにより、シール材が損傷または剥がれだした時点でシール材のみを取り換えるだけで、テーパ部が致命的な損傷を受ける前にテーパ部の補修を簡単に行うことができる。
【発明の効果】
【００１６】
本発明によれば、特にまくらぎの長辺方向の両側部と両端部に配置された各防振ゴムの上端部に、コンクリート道床の上面よりまくらぎの表面に沿って立上がる立上がり部が設けられ、かつ当該立上がり部の外側にコンクリート道床の上面よりまくらぎの表面側に傾斜するテーパ部が設けられていることにより、まくらぎの各側面に配置された防振ゴムの上端部から防振ゴムの内側に塩素を含む水が直接浸入するのを防止することができる。また、テーパ部を設けたことで防振ゴムの上端部に埃や塵が溜まることがないので、この埃や塵に塩素を含む水が浸透して防振ゴムの内側に浸入することもない。
【００１７】
これにより、まくらぎと防振ゴムとの間に高濃度の塩素を含む水が滞水してまくらぎのコンクリート表面や、まくらぎの端部にPC鋼棒定着用に設けられた切欠き穴の後埋めモルタル部からまくらぎ内部に浸透するのを防止することができるため、塩素等を含む水の浸透によるまくらぎの爆裂等を未然に防止することができる。
【００１８】
また、テーパ部の上端部にまくらぎ表面との隙間を密閉するシール材が取り付けられていることにより、シール材が損傷または剥がれだした時点でシール材のみを取り換えるだけで、テーパ部が致命的な損傷を受ける前にテーパ部の補修を簡単に行うことができる。
【図面の簡単な説明】
【００１９】
【図１】本発明の勾配付弾性材を用いた防振まくらぎの一実施形態を示し、図1(a)は軸方向の断面図、図1(b),(c)は軸直角方向の断面図である。
【図２】本発明の勾配付弾性材を用いた防振まくらぎの他の実施形態を示し、図2(a)は軸方向の断面図、図2(b),(c)は軸直角方向の断面図である。
【図３】防振まくらぎの従来例を示し、図3(a)は軸方向の断面図、図3(b),(c)は軸直角方向の断面図である。
【図４】防振まくらぎの従来例を示し、図4(a)は軸方向の断面図、図4(b)は軸直角方向の断面図である。
【発明を実施するための形態】
【００２０】
図1(a),(b)は、本発明の勾配付弾性材を用いた防振まくらぎの一実施形態を図示したものであり、PCまくらぎ１の長辺方向の両側部と両端部および底部にウレタンゴム等からなる防振ゴム２がPCまくらぎ１の四周と底部を取り囲むように連続一体的に配置されている。各面の防振ゴム２はPCまくらぎ１の各側面部にボルト止め若しくは接着材などによってそれぞれ固着されている。
【００２１】
また、PCまくらぎ１の防振ゴム２に取り囲まれた部分は、PCまくらぎ１の長辺方向の両側部と両端部および底部を取り囲むように連続一体的に形成されたFRP製の防振箱３の中に防振ゴム２と共に設置されている。  
【００２２】
さらに、PCまくらぎ１の防振ゴム２に取り囲まれた部分は、防振ゴム２および防振箱３と共にコンクリート道床４に埋設することにより固定されている。
【００２３】
防振箱３の各側面の上端部はコンクリート道床４の上面とほぼ面一に埋め込まれている。また、PCまくらぎ１の長辺方向の両側部と両端部にそれぞれ設置された各防振ゴム２の上端部には、コンクリート道床４の上面よりPCまくらぎ１の表面に沿って立上がる立上がり部６が設けられ、当該立上がり部６の外側にコンクリート道床４の上面よりPCまくらぎ１側に傾斜するテーパ部6aが形成されている。
【００２４】
なお、図2(a),(b)に図示するように、PCまくらぎ１の両端部の一定長に防振ゴム２を配置し、その外周をFRP製の防振箱３で取り囲みコンクリート道床４に埋め込み、さらに左右防振箱3,3間のコンクリート道床４に軌道方向に連続する排水溝５を設けることにより構成された一体型防振軌道の防振まくらぎにも適用することができる。
【００２５】
また、図2(c)に図示するように防振箱３を省略し、PCまくらぎ１の防振ゴム２に取り囲まれた部分を直接コンクリート道床４に埋設して設置される防振まくらぎにも適用することができる。
【産業上の利用可能性】
【００２６】
本発明は、漏水や湧水などの影響から湿潤な環境下にさらされ、レール電食や塩害などを受けやすい地下区間やトンネル区間の軌道に適した勾配付弾性材を用いた防振まくらぎを提供する。
【符号の説明】
【００２７】
１  PCまくらぎ(まくらぎ)
２  防振ゴム(勾配付弾性材)
３  防振箱
４  コンクリート道床
５  排水溝
６  立上がり部
6a  テーパ部
７  シール材
【図１】
2017082488.tif 000003
【図２】
2017082488.tif 000004
【図３】
2017082488.tif 000005
【図４】
2017082488.tif 000006